(57)【要約】      （修正有）【課題】寒い冬或いは空調による低温環境での使用に適する多機能ネックピローを提供する。【解決手段】多機能ネックピローは一側に開口が設けられたリング状枕本体１と、枕本体内に設置されるフィラー１１と、を含み、枕本体に柔らかい帽子が更に設置され、枕本体内に蓄熱装置及び蓄熱装置を加熱する電気加熱装置１４が設けられ、蓄熱装置は密封袋１２及び密封袋内に設置される蓄熱液１３を含む。多機能ネックピローは、ネックピローの基本的な機能以外、帽子及び蓄熱装置によってそれぞれ使用者のために風及び光線を遮って枕本体を長時間に適切な温度範囲に保持することができ、使用者がより快適に休むことができ、寒い冬或いは空調による低温環境での使用に適する。【選択図】図２
0003215603.tif 000002
【実用新案登録請求の範囲】
【請求項１】
一側に開口が設けられたリング状枕本体と、前記枕本体内に設置されるフィラーと、を含む多機能ネックピローであって、前記枕本体に柔らかい帽子が設置され、前記枕本体内に蓄熱装置及び前記蓄熱装置を加熱する電気加熱装置が設けられ、前記蓄熱装置は密封袋及び前記密封袋内に設置される蓄熱液を含むことを特徴とする多機能ネックピロー。
【請求項２】
前記蓄熱装置が枕本体内のフィラー内に包まれることを特徴とする請求項１に記載の多機能ネックピロー。
【請求項３】
前記枕本体の外縁に電源コンセントが設置され、前記電源コンセントが前記電気加熱装置に接続されることを特徴とする請求項１に記載の多機能ネックピロー。
【請求項４】
前記帽子内側には人間の耳に対応する位置にラッパ収納袋が設置され、２つのラッパが前記ラッパ収納袋内に取り付けられてオーディオラインに接続され、前記オーディオラインの他端に音源コネクタが設置されることを特徴とする請求項１に記載の多機能ネックピロー。
【請求項５】
前記リング状枕本体開口の両端部に第１ロック装置が設置されることを特徴とする請求項１に記載の多機能ネックピロー。
【請求項６】
前記帽子下縁は縫製糸によってリング状枕本体の内縁に縫製され、前記枕本体内縁に帽子収納袋が設置され、前記帽子収納袋の開口は帽子縫製糸の周りに設置され、且つ前記帽子収納袋の開口に第２ロック装置が設置されることを特徴とする請求項１に記載の多機能ネックピロー。
【請求項７】
前記第１ロック装置はバックル又はベルクロ(登録商標)であることを特徴とする請求項５に記載の多機能ネックピロー。
【請求項８】
前記第２ロック装置はベルクロ（登録商標）、スナップ又はジッパーであることを特徴とする請求項６に記載の多機能ネックピロー。
【考案の詳細な説明】
【技術分野】
【０００１】
本実用新案は日用品分野に関し、より具体的には、多機能ネックピローに関する。
【背景技術】
【０００２】
生活レベルの向上に伴い、現代人の日用品への要求も増加している。ネックピローはこのような新製品である。ネックピローは首の下に入れる枕であり、その主な役割は頸椎症を予防することである。また、近年で自動車の普及に伴い、自動車ネックピローも人々の視野に入り始め、自動車ネックピローはネックピローの一種であり、快適なネックピローは運転者及び乗客の安全を効果的に守ることができる。運転者の頭部を１５〜２０度調整して、頸静脈の圧迫を避け、疲労を軽減することができ、安全運転に有利である。また、交通工具での旅行では、人々はネックピローで首を保護する。しかし、従来のネックピローの機能が比較的単一であり、寒い冬や空調による低温環境での使用に適しない。
【考案の概要】
【考案が解決しようとする課題】
【０００３】
本実用新案は寒い冬或いは空調による低温環境での使用に適する多機能ネックピローを提供することを目的とする。
【課題を解決するための手段】
【０００４】
上記目的を達成するために、本実用新案は以下の技術的解決手段を用いる。
【０００５】
多機能ネックピローであって、前記多機能ネックピローは、一側に開口が設けられたリング状枕本体と、前記枕本体内に設置されるフィラーと、を含み、前記枕本体に柔らかい帽子が更に設置され、前記枕本体内に蓄熱装置及び前記蓄熱装置を加熱する電気加熱装置が設けられ、前記蓄熱装置は密封袋及び前記密封袋内に設置される蓄熱液を含む。
【０００６】
好ましくは、前記蓄熱装置は枕本体内のフィラー内に包まれる。
【０００７】
好ましくは、前記枕本体の外縁に電源コンセントが設置され、前記電源コンセントが前記電気加熱装置に接続される。
【０００８】
好ましくは、前記帽子内側には人間の耳に対応する位置にラッパ収納袋が設置され、２つのラッパが前記ラッパ収納袋内に取り付けられてオーディオラインに接続され、前記オーディオラインの他端に音源コネクタが設置される。
【０００９】
好ましくは、前記リング状枕本体開口の両端部に第１ロック装置が設置される。
【００１０】
好ましくは、前記帽子の下縁は縫製糸によってリング状枕本体の内縁に縫製され、前記枕本体の内縁に帽子収納袋が設置され、前記帽子収納袋の開口は帽子縫製糸の周りに設置され、且つ前記帽子収納袋の開口に第２ロック装置が設置される。
【００１１】
好ましくは、前記第１ロック装置はバックル又はベルクロ（登録商標）である。前記第２ロック装置はベルクロ（登録商標）、スナップ又はジッパーである。
【考案の効果】
【００１２】
従来の技術と比べて、本実用新案は以下の有益な効果を少なくとも有する。
【００１３】
枕本体に柔らかい帽子が設置されるため、ネックピローを使用する際に、帽子で頭部を覆って風及び光線を遮ることができ、使用者はより快適に休むことができる。枕本体内に蓄熱装置及び電気加熱装置が設置され、使用前に蓄熱装置が加熱され、蓄熱装置により枕本体を長時間に適切な温度範囲に保持することができるため、寒い冬或いは空調による低温環境での使用に適する。
【図面の簡単な説明】
【００１４】
【図１】幾つかの実施例の多機能ネックピローを示す構造模式図である。
【図２】幾つかの実施例の多機能ネックピローの枕本体を示す断面模式図である。
【考案を実施するための形態】
【００１５】
以下では図面及び実施例を参照しながら、本実用新案を更に説明する。
【００１６】
図１に示すように、幾つかの実施例の多機能ネックピローは一側に開口が設けられたリング状枕本体１を含み、前記枕本体１には柔らかい帽子２が更に設置される。
【００１７】
図２に示すように、前記枕本体１内にはフレキシブルフィラー１１、蓄熱装置及び電気加熱装置１４が設置される。前記蓄熱装置は密封袋１２と前記密封袋１２内に設置される蓄熱液１３を含む。前記電気加熱装置１４は前記蓄熱装置を加熱することに用いられる。
【００１８】
フレキシブルフィラー１１には普通のスポンジ、メモリコットン或いはその他の粉末状又は粒子状のフィラーを使用することができる。蓄熱液１３には水を使用することができ、最も好ましくは相変化油、相変化パラフィン或いはその他の相変化エネルギー貯蔵材料を使用する。電気加熱装置１４には電気加熱棒又は電気加熱板等の電気加熱装置を使用することができる。密封袋１２には最も好ましくはシリコンバッグを使用する。
【００１９】
前記蓄熱装置は枕本体１内のフィラー１１内に包まれる。
【００２０】
幾つかの実施例において、前記枕本体１の外縁に電源コンセントが設置され、前記電源コンセントが前記電気加熱装置１４に接続され、電源コンセントが外部電源に接続されることにより、電気加熱装置１４に給電する。
【００２１】
更に、帽子２の内側には人間の耳に対応する位置にラッパ収納袋を設置してもよく、２つのラッパが前記ラッパ収納袋内に取り付けられてオーディオラインに接続され、前記オーディオラインの他端に音源コネクタが設置される。該技術案によれば、使用者は前記オーディオラインの音源コネクタを音源、例えば携帯電話、ＭＰ４等に接続することができ、ネックピローで休む際に帽子内のラッパで音楽を聴くことができ、一定の遮音効果を有する。
【００２２】
更に、ネックピローをより確実に頸部位置に固定するように、リング状枕本体１開口の両端部に第１ロック装置を設置してもよい。第１ロック装置にはバックル、ベルクロ（登録商標）を使用することができ、或いはベルトを使用してもよい。
【００２３】
前記帽子２の下縁は縫製糸によってリング状枕本体１の内縁に縫製され、前記枕本体１の内縁に帽子収納袋（図示せず）が設置され、前記帽子収納袋の開口は帽子縫製糸の周りに設置され、且つ前記帽子収納袋の開口に第２ロック装置が設置される。帽子２を使用しない際に、帽子２を帽子収納袋内に入れることができる。前記第２ロック装置にはベルクロ（登録商標）、スナップ又はジッパー等を使用することができる。
【００２４】
上記ネックピローは普通のネックピローの、頸部を保護するという基本的な機能以外、持つ帽子によって使用者の頭部を覆って風及び光線を遮ることができ、使用者は快適に休むことができる。且つ、枕本体内の蓄熱装置は枕本体を長時間に適切な温度範囲に保持することができるため、ネックピローは寒い冬或いは空調による低温環境での使用に適する。蓄熱装置を使用してネックピローの温度を保持し、使用前に蓄熱装置を加熱し、使用中にネックピローに電源を接続する必要がないため、使用することは非常に安全である。
【００２５】
以上、具体的な実施例によって本実用新案を詳細に説明したが、これらの詳細な説明は当業者に本実用新案の内容を理解させるためのものに過ぎず、本実用新案の保護範囲を限定するものとして理解されるべきではない。当業者が本実用新案の発想で上記技術案に対して行った様々な修正、等価置換等はいずれも本実用新案の保護範囲内に含まれるべきである。
【図１】
0003215603.tif 000003
【図２】
0003215603.tif 000004
【手続補正書】
【提出日】平成30年1月31日(2018.1.31)
【手続補正１】
【補正対象書類名】実用新案登録請求の範囲
【補正対象項目名】全文
【補正方法】変更
【補正の内容】
【実用新案登録請求の範囲】
【請求項１】
一側に開口が設けられたリング状枕本体と、前記枕本体内に設置されるフィラーと、を含む多機能ネックピローであって、前記枕本体に柔らかい帽子が設置され、前記枕本体内に蓄熱装置及び前記蓄熱装置を加熱する電気加熱装置が設けられ、前記蓄熱装置は密封袋及び前記密封袋内に設置される蓄熱液を含むことを特徴とする多機能ネックピロー。
【請求項２】
前記蓄熱装置が枕本体内のフィラー内に包まれることを特徴とする請求項１に記載の多機能ネックピロー。
【請求項３】
前記枕本体の外縁に電源コンセントが設置され、前記電源コンセントが前記電気加熱装置に接続されることを特徴とする請求項１に記載の多機能ネックピロー。
【請求項４】
前記帽子内側には人間の耳に対応する位置にラッパ収納袋が設置され、２つのラッパが前記ラッパ収納袋内に取り付けられてオーディオラインに接続され、前記オーディオラインの他端に音源コネクタが設置されることを特徴とする請求項１に記載の多機能ネックピロー。
【請求項５】
前記リング状枕本体開口の両端部に第１ロック装置が設置されることを特徴とする請求項１に記載の多機能ネックピロー。
【請求項６】
前記帽子下縁は縫製糸によってリング状枕本体の内縁に縫製され、前記枕本体内縁に帽子収納袋が設置され、前記帽子収納袋の開口は帽子縫製糸の周りに設置され、且つ前記帽子収納袋の開口に第２ロック装置が設置されることを特徴とする請求項１に記載の多機能ネックピロー。
【請求項７】
前記第１ロック装置はバックル又は面ファスナーであることを特徴とする請求項５に記載の多機能ネックピロー。
【請求項８】
前記第２ロック装置は面ファスナー、スナップ又はジッパーであることを特徴とする請求項６に記載の多機能ネックピロー。